(57)【特許請求の範囲】
【請求項１】
ハブ部から放射状に延びる複数の縦型スクレーパーフィンを備えたフィードロータをフィーダベース上へ回転自在に取付け、モータによる回転駆動機構を前記フィードロータへ連結するとともに、前記フィードロータを取囲むアウターリングをフィーダベース上に設け、フィーダベースのアウターリングの内側且つフィードロータ軸から変位した位置に改良材排出口を形成し、改良材排出口及びフィードロータの上面の一部を上方から覆う仕切り板を前記アウターリング上に設け、フィードロータ上へ土質改良材を投入し、フィードロータを回転駆動したときに、フィードロータ一回転あたり一定量の改良材が前記改良材排出口を通じて排出されるように構成した土質改良機の改良材供給装置において、
放射状のスクレーパーフィンによって形成されたセグメントを部分的に遮蔽する供給量調整部材を、前記セグメントに対して着脱自在に形成し、供給量調整部材を着脱することによりフィードロータ一回転あたりの改良材供給量を調節できるようにしたことを特徴とする土質改良機の改良材供給装置。
【請求項２】
隣り合う上記スクレーパーフィンの夫々の半径方向中間部を結ぶ縦型セパレータを設け、各セグメントの縦型セパレータで区分された内側部分または外側部分を上記供給量調整部材で遮蔽するように構成した請求項１記載の土質改良機の改良材供給装置。
【請求項３】
上記供給量調整部材は上記セグメントの一部分を遮蔽する扇形プレートである請求項１記載の土質改良機の改良材供給装置。
【請求項４】
上記供給量調整部材は上記セグメントの一部分を遮蔽する扇形ブロックである請求項１記載の土質改良機の改良材供給装置。
【発明の詳細な説明】
【技術分野】
【０００１】
この発明は、土質改良機の改良材供給装置に関するものであり、特に、改良材供給量の調整幅を拡大した土質改良機の改良材供給装置に関するものである。
【背景技術】
【０００２】
道路の基盤等の土質を改良するために、土壌へ土質改良材（主としてセメント、生石灰などの自硬性固化材）を散布して混合するように構成された土質改良機は広く知られている。土質改良機において土壌へ土質改良材を所定の比率で混合するための手段としては、一般的にリングフィーダ式改良材供給装置が用いられている（特許文献１、２など）。
【０００３】
図5、図6に従来のリングフィーダ式改良材供給装置の構成を示す。平面形状が円形のフィーダベース1は、図6に示すように土質改良機のフレームFにボルトBにて結合され、フィーダベース1の下面中心にフィーダモータ2が取付けられている。フィーダモータ2の軸はフィーダベース1から上方へ突出し、軸3に取付けられたリングフィーダ4が軸3とともに回転する。
【０００４】
リングフィーダ4は中心のハブ部5、ハブ部5から放射状に延びる複数のスクレーパーフィン6と、スクレーパーフィン6の外端を囲むリング7とによって構成されており、この例ではリング7内の改良材収容空間は10枚のスクレーパーフィン6によって10セグメントに区画されている。
【０００５】
フィーダベース1には、リングフィーダ4を囲むアウターリング8が固定されていて、リングフィーダ4のリング7の外周とアウターリング8の内周とには僅かな間隙がある。アウターリング8の上縁には、上方へ向かって直径が拡大する漏斗状の改良材タンク9が結合されており、リングフィーダ4の上面を約半分程度遮蔽する仕切り板10がアウターリング8に設けられている。
【０００６】
図5は、仕切り板10の一部を切欠いてリング7の内部を示しており、フィーダベース1の仕切り板10で覆われた箇所には角穴11が形成されていて、フィーダベース1の下面に角穴10と合致するシュート12が取付けられている。
【０００７】
改良材タンク9内へ改良材を投入すると、リングフィーダ4の仕切り板10で遮蔽されていない部分へ改良材が落下して、リングフィーダ4のリング7とハブ部5及びスクレーパーフィン6とによって形成される空間内へ改良材が充満し、リングフィーダ4の回転に伴って改良材がフィーダベース1の角穴11の位置へ移動したときにシュート12を通じて落下する。
【０００８】
リングフィーダ4が回転する際に、リングフィーダ4のセグメント内の改良材はリング7の上端位置で仕切り板10によってすり切られ、セグメントの高さ分の改良材がシュート12から順次落下する。リングフィーダの１回転あたりの改良材供給量は、リングフィーダ4のハブ部5とリング7及びスクレーパーフィン6とによって形成された10セグメント分の体積であり、実際の作業時には回転速度によって単位時間当たりの改良材供給量を制御している。
【特許文献１】特開平9-104533号公報
【特許文献２】特公平6-51509号公報
【発明の開示】
【発明が解決しようとする課題】
【０００９】
従来の改良材供給装置は、リングフィーダの回転速度によって単位時間当たりの改良材供給量を制御しており、リングフィーダの回転速度調整範囲は、フィーダモータ（油圧モータや電動モータや空圧モータ等）の最低回転数と最高回転数との範囲に制限される。しかし、様々な土質や改良品質の要求に対応可能とするためには、改良材供給量の可変範囲がより広いほうが有利である。
【００１０】
そこで、改良材供給装置の改良材供給量の可変範囲を拡大するために解決すべき技術的課題が生じてくるのであり、本発明は上記課題を解決することを目的とする。
【課題を解決するための手段】
【００１１】
この発明は、上記目的を達成するために提案するものであり、ハブ部から放射状に延びる複数の縦型スクレーパーフィンを備えたフィードロータをフィーダベース上へ回転自在に取付け、モータによる回転駆動機構を前記フィードロータへ連結するとともに、前記フィードロータを取囲むアウターリングをフィーダベース上に設け、フィーダベースのアウターリングの内側且つフィードロータ軸から変位した位置に改良材排出口を形成し、改良材排出口及びフィードロータの上面の一部を上方から覆う仕切り板を前記アウターリング上に設け、フィードロータ上へ土質改良材を投入し、フィードロータを回転駆動したときに、フィードロータ一回転あたり一定量の改良材が前記改良材排出口を通じて排出されるように構成した土質改良機の改良材供給装置において、放射状のスクレーパーフィンによって形成されたセグメントを部分的に遮蔽する供給量調整部材を、前記セグメントに対して着脱自在に形成し、供給量調整部材を着脱することによりフィードロータ一回転あたりの改良材供給量を調節できるようにしたことを特徴とする土質改良機の改良材供給装置を提供するものである。
【００１２】
また、隣り合う上記スクレーパーフィンの夫々の半径方向中間部を結ぶ縦型セパレータを設け、各セグメントの縦型セパレータで区分された内側部分または外側部分を上記供給量調整部材で遮蔽するように構成した土質改良機の改良材供給装置を提供するものである。
【００１３】
また、上記供給量調整部材は上記セグメントの一部分を遮蔽する扇形プレートである土質改良機の改良材供給装置を提供するものである。
【００１４】
また、上記供給量調整部材は上記セグメントの一部分を遮蔽する扇形ブロックである土質改良機の改良材供給装置を提供するものである。
【００１５】
上記の構成においては、フィードロータに供給量調整部材を装着することにより、１回転あたりの改良材供給量が低下し、低回転数による少量供給の下限が従来型よりも拡大される。
【発明の効果】
【００１６】
本発明の土質改良機の改良材供給装置は、フィードロータのセグメントを部分的に遮蔽する供給量調整部材を着脱自在としたことにより、従来の回転数制御による改良材供給量調整範囲以下の供給量も制御することができて、様々な土質や改良品質の要求への対応性が向上する。
【発明を実施するための最良の形態】
【００１７】
本発明は、ハブ部から放射状に延びる複数の縦型スクレーパーフィンを備えたフィードロータをフィーダベース上へ回転自在に取付け、モータによる回転駆動機構を前記フィードロータへ連結するとともに、前記フィードロータを取囲むアウターリングをフィーダベース上に設け、フィーダベースのアウターリングの内側且つフィードロータ軸から変位し
た位置に改良材排出口を形成し、改良材排出口及びフィードロータの上面の一部を上方から覆う仕切り板を前記アウターリング上に設け、フィードロータ上へ土質改良材を投入し、フィードロータを回転駆動したときに、フィードロータ一回転あたり一定量の改良材が前記改良材排出口を通じて排出されるように構成した土質改良機の改良材供給装置において、放射状のスクレーパーフィンによって形成されたセグメントを部分的に遮蔽する供給量調整部材を、前記セグメントに対して着脱自在に形成し、供給量調整部材を着脱することによりフィードロータ一回転あたりの改良材供給量を調節できるようにして、改良材供給装置の改良材供給量の可変範囲を拡大するという目的を達成した。
【実施例１】
【００１８】
図1及び図2は、本発明の土質改良機の改良材供給装置を示し、回転するフィードロータ21以外の部分は従来型の構成と同様であり、図2に示すように土質改良機のフレームFに平面形状が円形のフィーダベース1がボルトBにて結合され、フィーダベース1の下面中心にフィーダモータ2が取付けられている。フィーダモータ2の軸3はフィーダベース1から上方へ突出し、軸3に取付けられたフィードロータ21がフィーダモータ2の軸3とともに回転する。
【００１９】
フィードロータ21は、中心のハブ部22から放射状に延びる複数（この実施例では10枚）の縦型スクレーパーフィン23と、隣り合うスクレーパーフィン23の夫々の半径方向中間部を結ぶ縦型セパレータ24とを備えている。
【００２０】
フィーダベース1には、フィードロータ21を囲むアウターリング8が固定されていて、フィードロータ21のスクレーパーフィン23の外端とアウターリング8の内周とには僅かな間隙がある。アウターリング8の上縁には、上方へ向かって直径が拡大する漏斗状の改良材タンク9が結合されており、フィードロータ21の上面を約半分程度遮蔽する仕切り板10がアウターリング8に設けられている。
【００２１】
図1は、仕切り板10を一部切り欠いてフィーダベース1の表面を示しており、フィーダベース1の仕切り板10で覆われた箇所に角穴11が形成されていて、フィーダベース1の下面に角穴11と合致するシュート12が取付けられている。
【００２２】
改良材タンク9内へ改良材を投入すると、フィードロータ21の仕切り板10で覆われていない部分へ改良材が落下して、フィードロータ21のハブ部22及びスクレーパーフィン23とアウターリング8とによって形成される空間内へ改良材が充満し、フィードロータ21の回転に伴って改良材がフィーダベース1の角穴11の位置へ移動したときにシュート12を通じて改良材が落下する。
【００２３】
フィードロータ21が回転する際に、改良材はフィードロータ21のスクレーパーフィン23の上端位置で仕切り板10によってすり切られ、フィーダベース1と仕切り板10の上下間隔に相当する厚さの改良材がシュート12から落下する。
【００２４】
図1及び図2の状態において、フィードロータ21の１回転あたりの改良材供給量は、フィードロータ21のハブ部22とアウターリング8との間のリング形空間を10枚のスクレーパーフィン23で区画した10セグメント分の体積であり、フィードロータ21の回転数によって改良材供給量を制御することができることは従来型と同様である。ただし、各セグメントは縦型セパレータ24によって半径方向に二分割されており、縦型セパレータ24の内側または外側の部分を遮蔽すれば、改良材供給量を半減することができる。
【００２５】
図3及び図4は、各セグメントの縦型セパレータ24から内側部分を供給量調整板25で遮蔽した状態を示し、セグメントの内側部分に対応する扇形平面形状の供給量調整板25を、夫
々スクレーパーフィン23の側面へボルトBとナットNとによって取付けている。この状態では、各セグメントの内側の供給量調整板25上に載った改良材は落下することがなく、各セグメントの縦型セパレータ24から外側部分の改良材のみがシュート12から落下し、供給量調整板25を装着しない場合に比べて１回転あたりの改良材供給量はほぼ半分になる。
【００２６】
図1及び図2に示す供給量調整板25を装着しない状態においては、フィードロータ21の１回転あたりの改良材供給量は従来型とかわらず、フィードロータ21の回転数制御範囲が従来型と同一であるとすれば、改良材供給量の制御範囲も同一であるが、図3及び図4のように、各セグメントの半分を供給量調整板25で遮蔽して１回転あたりの改良材供給量を半減させることにより、最低回転数における改良材供給量、即ち最小供給量は従来型のほぼ半分となり、供給量制御範囲の下限が下がって、従来型よりも少量供給が可能になる。
【００２７】
尚、この実施例では、供給量調整板25でフィードロータ21のセグメントを部分的に遮蔽するようにしているが、着脱などの取り扱いに支障をきたさなければ、板状部材ではなく扇型のブロックであってもよい。また、各セグメントの縦型セパレータ24からの内側部分ではなく外側部分を遮蔽するものであってもよい。また、セグメントの内側部分または外側部分のすべてに供給量調整板25や扇型ブロックを取付けないで、例えば、一つ置きに取付けてもよく、これは要求供給量に合わせて随時対応すればよい。また、供給量調整板等の取付け手段もボルトやナットに限らず、ピンとピン穴、フックとキャッチ、ロープなど手段を問わない。また、取付けに互換性があり遮蔽面積の異なる供給量調整板や扇型ブロックを用意すれば、供給量をさらに細かく調整することができる。
【００２８】
尚、この発明は上記の実施形態に限定するものではなく、この発明の技術的範囲内において種々の改変が可能であり、この発明がそれらの改変されたものに及ぶことは当然である。
【図面の簡単な説明】
【００２９】
【図１】本発明の一実施形態を示し、改良材供給装置の一部切欠平面図。
【図２】図1のA-A線断面図。
【図３】供給量調整板を装着した改良材供給装置の一部切欠平面図。
【図４】図3のA-A線断面図。
【図５】従来例を示し、改良材供給装置の一部切欠平面図。
【図６】図5のA-A線断面図。
【符号の説明】
【００３０】
1             フィーダベース
2             フィーダモータ
3             軸
8             アウターリング
9             改良材タンク
10            仕切り板
11            角穴
12            シュート
21            フィードロータ
22            ハブ部
23            スクレーパーフィン
24            縦型セパレータ
25            供給量調整板
F             フレーム
B             ボルト
N             ナット
【図１】
0004578395.tif 000002
【図２】
0004578395.tif 000003
【図３】
0004578395.tif 000004
【図４】
0004578395.tif 000005
【図５】
0004578395.tif 000006
【図６】
0004578395.tif 000007